(57)【要約】  採血後に、穿刺部材の先端部をその周囲から可及的に隔離した状態にしてインジェクターから取り外せる穿刺デバイスを提供する。  （ａ）ランセット１０１および保護カバー１０２を有するランセットアッセンブリ１００、ならびに  （ｂ）インジェクターボディ内に配置されたプランジャー２０４およびプッシャー２０６を有し、ランセットを発射するインジェクターアッセンブリを有する穿刺デバイスにおいて、  （１）ランセットは、ランセットボディ、ランセットキャップおよび穿刺部材を有し、  （２）保護カバーは、ランセットボディ１０４の前方部分１１４の周囲に配置され、保護カバーの前端開口部に所定箇所を押し当てて穿刺した後、穿刺部材に沿って前方に移動でき、  （３）プランジャーは、所定箇所を穿刺するようにランセットボディを発射し、  （４）プッシャーは、穿刺後保護カバーを前方に押して穿刺部材に沿って前方に移動させる。
2012046851.tif 000002
【特許請求の範囲】
【請求項１】
（ａ）ランセットおよび保護カバーを有して成るランセットアッセンブリ、ならびに
（ｂ）インジェクターボディならびにその中に配置されたプランジャーおよびプッシャーを有して成り、ランセットボディを発射するインジェクターアッセンブリ
を有して成る穿刺デバイスであって、
（１）ランセットは、ランセットボディ、ランセットキャップおよび穿刺部材を有して成り、穿刺部材はランセットボディおよびランセットキャップにまたがってこれらの中に存在し、穿刺部材の先端部はランセットキャップによって包囲され、
（２）保護カバーは、ランセットボディの前方部分およびランセットキャップの後方部分の周囲に配置され、また、保護カバーの前端開口部に所定箇所を押し当てた状態で穿刺した後、穿刺部材に沿って前方に移動でき、
（３）プランジャーは、ランセットボディの後端部を把持し、突出した穿刺部材の先端部が所定箇所を穿刺するようにランセットボディを発射し、
（４）プッシャーは、穿刺後、ランセットボディの後端部がプランジャーに把持された状態で、保護カバーをランセットボディに対して前方に押して、穿刺部材に沿って前方に移動させることを特徴とする穿刺デバイス。
【請求項２】
プッシャーがランセットボディの周囲に配置された保護カバーを前方に押すために、プッシャーをプランジャーに対して前方に移動させる時、プランジャーの前方への移動が阻止されるようになっている
ことを特徴とする請求項１に記載の穿刺デバイス。
【請求項３】
プランジャーは、少なくとも２つのアームを有して成る前方部分を有して成り、
アームの前端部は、ランセットボディの後方部分を把持するチャック要素を構成する
ことを特徴とする請求項１または２に記載の穿刺デバイス。
【請求項４】
プッシャーは、少なくとも２つのアームを有して成る前方部分を有して成り、
アームの前端部は、保護カバーの後端を押して保護カバーを前方に移動させることができる
ことを特徴とする請求項１〜３のいずれかに記載の穿刺デバイス。
【請求項５】
ランセットおよび保護カバーを有して成り、プランジャーおよびプッシャーを有して成るインジェクターに装填されるランセットアッセンブリであって、
（１）ランセットは、ランセットボディ、ランセットキャップおよび穿刺部材を有して成り、穿刺部材はランセットボディおよびランセットキャップにまたがってこれらの中に存在し、穿刺部材の先端部はランセットキャップによって包囲され、
（２）保護カバーは、ランセットボディの前方部分およびランセットキャップの後方部分の周囲に配置され、また、穿刺すべき所定箇所を押し当てる開口部を前端に有し、インジェクターによる穿刺後にあっては、ランセットボディの後端部がプランジャーに把持された状態で、プッシャーによって押されることによって穿刺部材に沿って前方に移動する
ことを特徴とするランセットアッセンブリ。
【請求項６】
ランセットボディは、保護カバーの後端部の前方に位置する突出部、および後方に位置する突出部を有して成り、
ランセットアッセンブリをインジェクターアッセンブリに装填するに際して、後方の突出部は、その位置が穿刺部材に向かうように変位し、それによって、ランセットボディの後方の突出部は保護カバーの後端部より前方に移動可能となる
ことを特徴とする請求項５に記載のランセットアッセンブリ。
【請求項７】
保護カバーは後端部に開口部を有し、保護カバーがプッシャーによって押されて前方に移動すると、保護カバーの後端部の前方に位置する、ランセットボディの突出部が、保護カバーの後端部の開口部に嵌り込むように構成されている
ことを特徴とする請求項５に記載のランセットアッセンブリ。
【請求項８】
請求項１〜４のいずれかに記載の穿刺デバイスを構成するための請求項５〜７のいずれかに記載のランセットアッセンブリ。
【請求項９】
インジェクターボディならびにその中に配置されたプランジャーおよびプッシャーを有して成り、前方部分が保護カバーによって包囲され、また、穿刺部材の先端部が突出した状態にあるランセットボディを発射するインジェクターアッセンブリであって、
（１）プランジャーは、ランセットボディの後端部を把持し、突出した穿刺部材の先端部が所定箇所を穿刺するようにランセットボディを発射し、
（２）プッシャーは、穿刺後、ランセットボディの後端部がプランジャーに握持された状態で、保護カバーをランセットボディに対して前方に押して穿刺部材に沿って前方に移動させ、
（３）インジェクターボディは、穿刺に際して、保護カバーの前端開口部がインジェクターボディの前端よりも前方に位置した状態となるように保護カバーを位置決めする保持部材を有する
ことを特徴とするインジェクターアッセンブリ。
【請求項１０】
プッシャーがランセットボディの周囲に配置された保護カバーを前方に押すために、プッシャーをプランジャーに対して前方に移動させる時、プランジャーの前方への移動が阻止されるようになっている
ことを特徴とする請求項９に記載のインジェクターアッセンブリ。
【請求項１１】
ランセットボディの突出部をその位置が穿刺部材に向かうように変位させる押し込み手段を更に有して成る
ことを特徴とする請求項９または１０に記載のインジェクターアッセンブリ。
【請求項１２】
プランジャーは、少なくとも２つのアームを有して成る前方部分を有して成り、
アームの前端部は、ランセットボディの後方部分を把持するチャック要素を構成する
ことを特徴とする請求項９〜１１のいずれかに記載のインジェクターアッセンブリ。
【請求項１３】
プッシャーと連動するスライディングガイドを有し、
穿刺後、プッシャーが保護カバーをランセットボディに対して穿刺部材に沿って前方に移動させた後に、スライディングガイドは、プランジャーの少なくとも１つのアームが外側に広がることを許容する
ことを特徴とする請求項９〜１２のいずれかに記載のインジェクターアッセンブリ。
【請求項１４】
請求項１〜４のいずれかに記載の穿刺デバイスを構成するための請求項９〜１３のいずれかに記載のインジェクターアッセンブリ。
【発明の詳細な説明】
【技術分野】
【０００１】
本発明は、体液、例えば血液を採取するために、身体の所定の部位を先端部が鋭利な穿刺部材、例えば針によって穿刺するために使用する穿刺デバイスならびにそれを構成するランセットアッセンブリおよびインジェクターアッセンブリに関する。
【背景技術】
【０００２】
糖尿病患者の血糖値を測定する場合、微少量の血液を採取するために種々の穿刺デバイスが使用されている。そのようなデバイスは、ランセットおよびインジェクターから構成され、身体の所定箇所を穿刺する穿刺部材を有するランセットを、そのようなランセットを所定箇所に向かって発射するインジェクターに組み込み、インジェクター内で圧縮されたバネが伸長する作用を利用してランセットを所定箇所に向けて発射することによって用いる。【０００３】
このような穿刺デバイスを用いて採血する場合、使用後のランセットの取扱に特に注意する必要がある。穿刺した後のランセットでは、通常、穿刺部材の先端部は、採血者の血液が微量付着した状態でランセットボディから露出している。例えば、この先端部に、被採血者本人以外の人（例えば採血作業を実施する看護師）の身体の一部分が誤って触れた場合、先端部がその一部分を傷付けてその傷口から被採血者の血液が被採血者以外の人の体内に入り込み、その結果、その人が感染症にうつってしまうという危険性がある。【０００４】
公知の穿刺デバイスでは、穿刺後のランセットの取り扱いについては、必ずしも十分に検討されておらず、例えば穿刺後に露出した穿刺部材の先端部にキャップを被せることが提案されている（後述の特許文献１参照）。このデバイスでは、キャップを被せるために、先端部が露出した状態のランセットを取り扱う必要があり、この意味では、上述の危険性が必ずしも十分に解消されていない。【０００５】
従って、穿刺デバイスにおいては、穿刺後のランセットの取り扱いが非常に重要であり、穿刺した後に、より安全な状態となった後にランセットを取り扱うことができる穿刺デバイスが望まれている。
【先行技術文献】
【特許文献】
【０００６】
【特許文献１】米国特許明細書第５３８５５７１号公報
【発明の概要】
【発明が解決しようとする課題】
【０００７】
本発明が解決しようとする課題は、穿刺した後に、穿刺部材の先端部がランセットボディから突出した状態のままで、インジェクターから外されるのではなく、突出した先端部をその周囲から可及的に隔離した状態にした後、インジェクターから取り外せる穿刺デバイスを提供することである。
【課題を解決するための手段】
【０００８】
第１の要旨において、本発明は、
（ａ）ランセットおよび保護カバーを有して成るランセットアッセンブリ、ならびに
（ｂ）インジェクターボディならびにその中に配置されたプランジャーおよびプッシャーを有して成り、ランセットボディを発射するインジェクターアッセンブリ
を有して成る穿刺デバイスであって、
（１）ランセットは、ランセットボディ、ランセットキャップおよび穿刺部材を有して成り、穿刺部材はランセットボディおよびランセットキャップにまたがってこれらの中に存在し、穿刺部材の先端部はランセットキャップによって包囲され、
（２）保護カバーは、ランセットボディの前方部分およびランセットキャップの後方部分の周囲に配置され、また、保護カバーの前端開口部に穿刺すべき所定箇所を押し当てた状態で穿刺した後、穿刺部材に沿って前方に移動でき、
（３）プランジャーは、ランセットボディの後端部を（それを隔てて対向する方向から挟むように）把持（またはチャックもしくは握時）し、突出した穿刺部材の先端部が所定箇所を穿刺するようにランセットボディを発射し、
（４）プッシャーは、穿刺後、ランセットボディの後端部がプランジャーに把持された状態で、保護カバーを、ランセットボディに対して前方に押して、穿刺部材に沿って前方に移動させることを特徴とする穿刺デバイスを提供する。【０００９】
本発明の穿刺デバイスの好ましい態様では、プッシャーは、穿刺後、それを前方に押す力を加えることによって、保護カバーの後端部に当接した後、プランジャーに把持されたランセットボディに対して保護カバーを前方に押すことによって、保護カバーをランセットボディに対して前方に押して穿刺部材に沿って前方に移動させ、その結果、突出した穿刺部材の先端部を保護カバーの前端開口部から更に後方に位置する状態にし(その結果、穿刺部材の先端部を一層可及的に隔離した状態にし)、その後、プッシャーが保護カバーを前方に力によってランセットボディをプランジャーから解放する。【００１０】
本発明の穿刺デバイスの好ましい態様では、プランジャーの前進が阻止された状態で、プッシャーに加えられる前方に押す力によって、プッシャーが保護カバーをランセットボディに対して前方に押して穿刺部材に沿って前方に移動させる。【００１１】
本発明の穿刺デバイスの好ましい態様では、ランセットボディは、保護カバーの後端部の前方に位置する突出部および後方に位置する突出部を有して成り、前方に移動した保護カバーの後方部分の側方に設けた開口部に、保護カバーの後端部の前方に位置していた突出部が嵌まり込むように構成されている。嵌まり込んだ後に、プランジャーが保持しているランセットボディは解放される。【００１２】
本発明の穿刺デバイスの好ましい態様では、インジェクターアッセンブリのプランジャーは、ランセットボディの後端部をそれを隔てて対向する方向（例えばその上下方向または左右方向）から挟むように把持する。【００１３】
本発明の穿刺デバイスの特に好ましい態様では、プランジャーは、２つの対向するアームを有して成り、その少なくとも一方が外向きに弾性的に変形することによってランセットボディを解放する。【００１４】
好ましい態様では、本発明の穿刺デバイスは、プッシャーと連動するスライディングガイドを有し、これがプランジャーの弾性的変形を可能にする。より詳しくは、穿刺デバイスのインジェクターアッセンブリは、プッシャーと連動するスライディングガイドを有し、穿刺後、プッシャーが保護カバーをランセットボディに対して穿刺部材に沿って前方に移動させた後に、より好ましくは上述のようにランセットボディの突出部が保護カバーの開口部に嵌り込んだ後に、スライディングガイドは、プランジャーの少なくとも１つのアームが外側に広がることを許容する。その結果、把持されたランセットボディは、プランジャーから解放される。
上述のような本発明の穿刺デバイスの特徴は、本発明のランセットアッセンブリおよびインジェクターアッセンブリにも当て嵌まる。【００１５】
第２の要旨において、本発明は、
ランセットおよび保護カバーを有して成り、プランジャーおよびプッシャーを有して成るインジェクターに装填されるランセットアッセンブリであって、
（１）ランセットは、ランセットボディ、ランセットキャップおよび穿刺部材を有して成り、穿刺部材はランセットボディおよびランセットキャップにまたがってこれらの中に存在し、穿刺部材の先端部はランセットキャップによって包囲され、
（２）保護カバーは、ランセットボディの前方部分およびランセットキャップの後方部分の周囲に配置され、また、穿刺すべき所定箇所を押し当てる開口部を前端に有し、インジェクターによる穿刺後にあっては、ランセットボディの後端部がプランジャーに握持された状態で、プッシャーによって押されることによって穿刺部材に沿って前方に移動する
ことを特徴とするランセットアッセンブリを提供する。【００１６】
第３の要旨において、本発明は、
インジェクターボディならびにその中に配置されたプランジャーおよびプッシャーを有して成り、前方部分が保護カバーによって包囲され、また、穿刺部材の先端部が突出した状態にあるランセットボディを発射するインジェクターアッセンブリであって、
（１）プランジャーは、ランセットボディの後端部を（それを隔てて対向する方向から挟むように）把持（またはチャック）し、突出した穿刺部材の先端部が所定箇所を穿刺するようにランセットボディを発射し、
（２）プッシャーは、穿刺後、ランセットボディの後端部がプランジャーに把持された状態で、保護カバーをランセットボディに対して前方に押して穿刺部材に沿って前方に移動させ、
（３）インジェクターボディは、穿刺に際して、保護カバーの前端開口部がインジェクターボディの前端よりも前方に位置した状態となるように保護カバーを位置決めする保持部材を有する
ことを特徴とするインジェクターアッセンブリを提供する。【００１７】
以下に本発明を説明するが、その説明において考慮する「前」および「後」の方向は、ランセットを発射する方向、即ち、ランセットが移動する方向を基準にする。換言すれば、穿刺のためにランセットが移動する方向（従って、穿刺部材の露出した先端部が所定穿刺部位に向かって移動する方向）を意味するとき、「前」、「前向き」または「前方向」なる用語を用い、それと丁度反対の方向を意味するとき、「後」、「後向き」または「後方向」なる用語を用いる。そして、「上」および「下」ならびに「右」および「左」なる用語は、上述の「前」および「後」に対して垂直な方向であって、図９に示す方向を基準に使用する。
【発明の効果】
【００１８】
本発明の穿刺デバイスを用いる場合、穿刺後にランセットをインジェクターアッセンブリから外す時は、ランセットボディから突出する穿刺部材の先端部は、保護カバーによってその前端開口部から十分に後方に位置した状態で包囲されているので、より安全になった状態のランセットを取り扱うことが可能となる。【００１９】
また、インジェクターボディの前端開口部に穿刺すべき所定の箇所に押し当てる従来のランセットアッセンブリを用いる場合、所定箇所をインジェクターボディの前端開口部から離す際、滲出した血液の一部分がインジェクターボディの前端および／またはその内側に付着する可能性がある。穿刺後のインジェクターアッセンブリから使用済みのランセットアッセンブリを外して、次の穿刺のために新たなランセットアッセンブリを装填する。【００２０】
インジェクターボディの前端および／またはその内側に血液が付着したまま状態で、最初の穿刺の患者とは異なる次の患者の所定の箇所を穿刺する場合、穿刺によって滲出した血液（次の患者の血液）に、付着している血液（最初の患者の血液）が混入し得るという問題がある。更に、次の患者に形成された穿刺傷部が付着している血液(最初の患者の血液)に触れる場合が有り得る。最初の患者が感染症に感染している場合は、傷部を介して次の患者が感染し得るという問題がある。【００２１】
このような問題を解消するには、穿刺が終了してランセットアッセンブリをインジェクターアッセンブリから外した後で、インジェクターボディの前端内側への血液の付着の有無を確認し、付着している場合には拭き取ればよい。しかしながら、そのような確認作業は煩雑である。しかも、付着している血液量は微量である可能性が大きく、その場合、綿密な確認作業が要求され、そのための労力は多大なものとなる。また、拭き取る作業も完全に拭き取ることが必要となり、そのために細心の注意が要求される。【００２２】
本発明の穿刺デバイスまたはランセットアッセンブリでは、穿刺に際して、穿刺すべき所定の箇所（即ち、穿刺所定箇所）を保護カバーの前端開口部に押し当てるので、滲出した血液がインジェクターボディの前端内側付近に付着する可能性は大きく減少する。もし、滲出した血液が付着するとすれば、付着する箇所は保護カバーの前端内側付近が考えられる。しかしながら、穿刺後、保護カバーはランセットボディから前向きに突出する穿刺部材の先端部の周囲に位置するように移動させ、その後、インジェクターアッセンブリから外して廃棄できるので、保護カバーに付着した血液による上述のような問題の発生を最小限にできる。【００２３】
更に、保護カバーの前端開口部に穿刺すべき所定箇所を押し当てることができるので、手のひらのような比較的広大な箇所に穿刺傷を形成する場合であっても、特別なアタッチメントを使用することなく、穿刺すべき箇所の周囲を確実に位置決めして押圧することができ、また、そのような押圧によって穿刺の際に滲出する血液量をより多くすることができる。特に、保護カバーを透明なプラスチック材料で形成すると、保護カバーを介して穿刺すべき箇所およびその周辺を見ることができるので穿刺すべき箇所に的をしぼるのがより容易になるので好都合である。【００２４】
このように手のひらで採血する場合、一般的に指先を穿刺する場合よりも感じる痛みが小さく、それを知ったうえで採血する場合、痛みを感じることに関連する被採血者の緊張感が緩和される。また、保護カバーが透明であると、保護カバーが穿刺部位を押圧した状態で、保護カバーを介して穿刺部位（例えば手のひら）からの出血の状況を確認することができる。出血量が不十分であると、保護カバーを採血部位に押し付ける力を大きくして出血量を増やすことができる。【００２５】
保護カバーが透明でないと、出血量が分からない状態で、穿刺部位を押圧している保護カバーを穿刺部位から外して出血量を確認する必要があり、出血量が少ないと、穿刺部位が中央付近に位置するように保護カバーを位置決めして再度押圧する必要があるが、そのような位置決めは容易ではない。場合によっては、出血量の確認およびその後の位置決めに時間を要すると、再度押圧しても出血量が増えず、再度穿刺する必要が生じ得る。保護カバーが透明であると、再度穿刺する必要性を可及的に減少させることができる。この意味で、本発明において保護カバーが透明であるのが好ましい。特に手のひらからの採血に際しては、一般的に出血量が少ないことが多いので、透明な保護カバーは特に有用である。
【図面の簡単な説明】
【００２６】
【図１】図１は、本発明の穿刺デバイスに使用できるランセットアッセンブリを斜視図にて示す。
【図２】図２は、図１のランセットアッセンブリの手前側半分のうち上側半分を切除した状態で斜視図にて模式的に示す。
【図３】図３は、本発明のランセットアッセンブリを構成するランセットを斜視図にて、模式的に示す。
【図４】図４は、本発明のランセットアッセンブリを構成する保護カバーを斜視図にて模式的に示す。
【図５】穿刺後、保護カバーが前方に移動した後のランセットアッセンブリの状態を斜視図にて模式的に示す。
【図６】図６は、図５のランセットアッセンブリの手前側半分のうち上側半分を切除した状態で斜視図にて模式的に示す。
【図７】図７は、本発明の穿刺デバイスに使用できるインジェクターアッセンブリの外観を斜視図にて模式的に示す。
【図８】図８は、インジェクターアッセンブリのインジェクターボディを構成するボディハーフを斜視図にて模式的に示す。
【図９】図９は、図７に示したインジェクターアッセンブリの手前のボディハーフを除去して内部の様子が分かるようにした斜視図を模式的に示す。但し、インジェクターボディ、保護カバー、保持部材、プランジャーおよびプッシャーの組み合わせ、ならびにプッシュボタンについては手前側半分を切除した状態で示している。
【図１０】図１０は、インジェクターボディの前端部に嵌め込まれる保持部材を斜視図にて模式的に示す。
【図１１】図１１は、深さ調節部材を、その手前側の半分を切除した状態で、斜視図にて模式的に示す。
【図１２】図１２は、プランジャーの斜視図を模式的に示す。
【図１３】図１３は、プッシャーの斜視図を模式的に示す。
【図１４】図１４は、インジェクターボディ内においてプランジャーとプッシャーとを組み合わせる状態を斜視図にて模式的に示す。
【図１５】図１５は、ランセットアッセンブリをインジェクターアッセンブリに挿入して、ランセットボディの後端部がプランジャーのアーム間に接近する様子を、図９と同様に、模式的斜視図にて示す。
【図１６】図１６は、ランセットボディの後端部がプランジャーのアーム間で完全に把持された状態を、図９と同様に、模式的斜視図にて示す。
【図１７】図１７は、図１６の状態からプランジャーが後方に移動して、プランジャーの突起がトリガー部材の後方に位置する状態を、図９と同様に、模式的斜視図にて示す。
【図１８】図１８は、図１７の状態から、ランセットアッセンブリを挿入する力を解除して、トリガー部材の後端部に設けた突起にプランジャーの突起が当接している状態、即ち、ランセットアッセンブリの装填が完了した状態を、図９と同様に、模式的斜視図にて示す。
【図１９】図１９は、ランセットアッセンブリにおいてランセットキャップを捻転によって除去している様子であり、それによって、ランセットの発射準備完了となる状態を、図９と同様に、模式的斜視図にて示す。
【図２０】図２０は、プレスボタンを押し込んでランセットが発射される瞬間の状態を、図９と同様に、模式的斜視図にて示す。
【図２１】図２１は、ランセットが発射されて、穿刺部材の先端部がインジェクターアッセンブリの開口部から突出している状態、即ち、所定箇所を穿刺している状態を、図９と同様に、模式的斜視図にて示す。
【図２２】図２２は、穿刺が終了して、ランセットが後退した後の状態を、図９と同様に、模式的斜視図にて示す。
【図２３】図２３は、穿刺が終了したランセットボディに対して、保護カバーを前方に移動させるために、プッシュボタンを前方に押してプッシャーのアームが保護カバーの後端部に当接した状態を、図７に示したインジェクターアッセンブリの手前のボディハーフを除去して内部の様子が分かるようにした斜視図を模式的に示す。但し、保持部材の手前半分の上側半分を切除した状態で示している。
【図２４】図２４は、図２３の状態からプッシュボタンを更に前方に押すことによって、保護カバーを前方に移動させ、それによって、ランセットボディの突出部が保護カバーの開口部に嵌り込んだ状態を、図２３と同様に、模式的斜視図にて示す。
【図２５】図２５は、図２４の状態からプッシュボタンを更に前方に押すことによって、プランジャーのアームの前端部がランセットボディの後端部を解放した状態を、図９と同様に、模式的斜視図にて示す。
【図２６】図２６は、図２５の状態からプッシュボタンを更に前方に押すことによって、プッシャーのアームが保護カバーの後端部を押して、その結果、突出している穿刺部材の最先端が保護カバーの前端開口部から十分深い箇所に位置した状態で、保護カバーに包囲されたランセットボディがインジェクターアッセンブリの前端開口部から飛び出す様子を、図２３と同様に、模式的斜視図にて示す。
【図２７】図２７は、図２４の状態を、図９と同様に、模式的斜視図にて示す。
【図２８】図２８は、図１９におけるインジェクターアッセンブリの前方部分を、その内部の詳細が分かるように、模式的斜視図にて示す。
【図２９】図２９は、図２３の状態と図２４の状態との間の状態を、図９と同様に、模式的斜視図にて示す。
【発明を実施するための形態】
【００２７】
本発明の穿刺デバイスを添付図面を参照して説明する。尚、本発明のランセットアッセンブリ、インジェクターアッセンブリおよび穿刺デバイスにおいて、穿刺部材は一般的には金属製（例えばステンレススチール製）であり、穿刺時を含み、穿刺の前後にランセットを移動させるエネルギーを発生するためのスプリング（またはバネ）は、いずれの適当な材料でできていてもよく、例えばプラスチック製、好ましくは金属製であり、他の部分は、いずれかの適当なプラスチック材料でできているのが好ましく、通常、そうである。
【００２８】
従って、以下の説明では、特に断らない限り、種々の部材または要素はそのような材料でできていることを前提にして説明する。例えば、穿刺部材は金属製（例えば金属製針）であり、スプリングも金属製（例えばコイルバネ）であり、他の部材は、適当なプラスチック材料製（例えば成形品）である。プラスチック材料は通常射出成形によって所定の構造を有するように形成する。使用できるプラスチック材料は、ランセットについては、例えば低密度ポリエチレン樹脂（ＬＤＰＥ）、高密度ポリエチレン樹脂（ＨＤＰＥ）、ポリプロピレン樹脂（ＰＰ）等であり、インジェクターアッセンブリおよび保護カバーについては、例えばポリカーボネート樹脂（ＰＣ）、アクリロニトリル−ブタジエン−スチレン共重合体樹脂（ＡＢＳ）、ポリアセタール樹脂（ＰＯＭ）、ポリスチレン樹脂（ＰＳ）等である。
【００２９】
図１に、本発明の穿刺デバイスに使用できるランセットアッセンブリを斜視図にて、また、図２に、そのランセットアッセンブリの長手方向軸の周囲の９０°分（即ち、図１において手前半分の内の上側半分）を切除した状態で斜視図にて模式的に示す。図示したランセットアッセンブリ１００は、ランセット１０１および保護カバー１０２から構成されている。
【００３０】
図３に、本発明のランセットアッセンブリを構成するランセット１０１を斜視図にて、模式的に示す。ランセット１０１は、ランセットボディ１０４およびランセットキャップ１０６から構成される。図２から分かるように、所定箇所を穿刺する先端部を有する穿刺部材１０５が、ランセット内に埋設され、その先端部は、ランセットキャップ１０６内部に、また、その他の部分がランセットボディ１０４内部に存在する。図１および図２に示した態様では、ランセット１０１のランセットボディ１０４の周囲に、詳しくはランセットボディの前方部分１１４およびランセットキャップの後方部分１０７の周囲に保護カバー１０２が配置されている状態を示している。
【００３１】
図４に、本発明のランセットアッセンブリを構成する保護カバー１０２を斜視図にて模式的に示す。図示した態様では、矢印Ａで示す方向が、ランセットの発射方向、即ち、前方に向いている。尚、容易に理解できるように、本発明のランセットアッセンブリ１００は、保護カバー１０２の前端部の開口部１２３（図３では見えない）からランセットのランセットボディ１０４の後端部１１６を矢印Ａと反対の方向に挿入することによって形成することができる。
【００３２】
このようなランセット１０１および保護カバー１０２から構成されるランセットアッセンブリ１００は、図１に示した状態で、ランセットを発射するインジェクターアッセンブリに挿入してチャージされ、その後、穿刺部材１０５の先端部１２４を露出させた状態でランセットボディ１０４が発射された後、図５および図６に示すように、（図１および図２と比較すると、）ランセットボディ１０４に対して保護カバー１０２が前方に移動した状態にできる。これらの図５および図６に示した状態は、穿刺部材１０５の先端部が露出していることと、ランセットキャップ１０６が除去されていること、および保護カバー１０２の位置が前方に移動しており、また、後述ように突出部１２２が開口部１２５に嵌っている点で、図１および図２に示す状態と異なるが、その他については実質的に相違しない。
【００３３】
ランセットボディ１０４とランセットキャップ１０６は、その間に位置する弱化部分１０８によって一体に結合されている。この弱化部分は、ランセットボディ１０４とランセットキャップ１０６とを穿刺部材１０５の周囲で相対的に反対方向に回すことによって破壊してこれらを引き離すことができる、即ち、いわゆるツイストオフすることができる。このようなランセットは、穿刺部材１０５を金型に予め挿入した状態でプラスチック材料を射出成形する、即ち、インサート成形することによって一体に形成するのが好ましく、弱化部分は、その箇所における穿刺部材の周囲のプラスチック材料の厚さを薄くすることによって形成できる。
【００３４】
このツイストオフを容易ならしめるために、ランセットキャップ１０６は、指で挟んで容易に回転できるようにタブ要素１１０を有する。これは、例えば平坦な広がり部分であってよい。図示した態様では、そのような部分は、ランセットキャップ１０６の前方部分に設けられている。また、ランセットキャップ１０６の中間部には、当接要素１１２が設けられている。これは、ランセットキャップ本体から外向きに延在する突出部の形態、例えばフランジ形態であってよい。
【００３５】
図１および図２から理解できるように、当接要素１１２は、保護カバー１０２の前端部の開口部１２３からランセットボディ１０４を挿入して、ランセットボディ１０４、特にその前方部分１１４およびランセットキャップの後方部分１０７の周囲に保護カバー１０２を配置する際に止めとして作用でき、保護カバー１０２の前端部１２１が当接要素１１２に当接した状態となり、保護カバー１０２はそれ以上前進入できない、即ち、ランセットボディ１０４をそれ以上挿入できない。
【００３６】
ランセットボディ１０４の後端部１１６は、後述するようにインジェクターアッセンブリのプランジャーの対向するアームの間に位置でき、後端部１１６に設けた突出部１１８がアームの内側に設けた凹部によって挟まれて把持されるようになっている。このように突出部１１８が把持されることによって、インジェクターアッセンブリ内でランセットがプランジャーに確実に保持される。
【００３７】
また、ランセットボディの前方部分１１４はその後端部に突出部１２０を有し、また、前方部にも別の突出部１２２を有する。これらの離間した突出部１２０および１２２は、保護カバー１０２をランセットボディ１０４の前方部分１１４およびランセットキャップの後方部分１０７の周囲に配置した場合、図１および図２に示すように、これらの間に保護カバーの後端部１５０が位置することによって、ランセット１０１に対して保護カバー１０２を位置決めする。
【００３８】
このような突出部１２０は、ランセットアッセンブリ１００を構成するに際して、ランセット１０１を保護カバー１０２内に挿入して保護カバーを前方に移動すると、保護カバーの後端部１５０が突出部１２０を乗り越えた後、好ましくは直後、ランセットキャップの当接要素１１２が保護カバーの前端部１２１に当接するように構成する。このような乗り越えを容易にするために、突出部１２０の穿刺部材の軸方向に沿った断面は、図２に示すように、前方に向かって外向きに広がるテーパー形状を有し、好ましくは、突出部１２０は穿刺部材に近づくように移動できるのが好ましい。
【００３９】
図示した態様では、突出部１２０は、ランセットボディ１０４の前方部分１１４の本体から空間部１１９を隔てて離間しているが、（例えば保護カバーの後端部が突出部１２０を乗り越えようとすることによって）突出部１２０に内向きの力が作用すると、（図２において矢印で示すように）突出部１２０は内側に移動できる（即ち、穿刺部材に向かって変位できる）ように構成されている。図示した態様では、突出部およびその前端部から前方に延在する薄いシート状部１１５によって空間部１１９が形成されている。突出部が内側に移動できればよく、空間部は必ずしも必要ではない。例えば、プラスチック材料の弾性を利用した変形によって移動できてもよい。
【００４０】
保護カバーの後端部が突出部１２０を乗り越えた結果、そのような力が作用しなくなると、（プラスチック材料の弾性故に）突出部１２０の位置は元の位置に戻ることができ、図２の状態になる。図２の状態において、保護カバーを後方に移動させようとしても、保護カバーの後端部は突出部１２０の前端面１１７に当接する。前端面１１７は、図示するように、好ましくは穿刺部材の軸方向に対して垂直に延在するので、保護カバーを後方に移動させようとしても、保護カバーの後端部１５０は、突出部１２０を実質的に乗り越えることはできない。保護カバーを前方に移動させようとしても、保護カバーの前端部１２１が当接要素１１２に当接するため、保護カバーは前方に移動できない。従って、図２に示す位置関係で、ランセットと保護カバーは位置決めされる。
【００４１】
更に、後述するように、穿刺が終了した後、突出部１２０は保護カバー１０２の後端部１５０より前方に位置する。その状態のままで、インジェクターアッセンブリのプランジャーがランセットボディを解放したなら、ランセットボディは保護カバーの前端開口部から抜け出て、穿刺部材の先端部がランセットボディの前端部から露出した状態で、ランセットボディが保護カバーの外に出て分離してしまうことになる。そのような分離を防止するために、突出部１２０から前方に離間して位置する別の突出部１２２が、ランセットボディを保護カバー内に保持した状態を確保する。より詳しくは、保護カバー１０２を前方に移動して、その後端部１５０が突出部１２０の前方に位置し、その結果、後端部１５０の前方に設けた開口部１２５に突出部１２２が嵌まり込むように構成する。
【００４２】
そのように嵌まり込んだ状態では、保護カバー１０２がランセットボディ１０４に対して前方に移動しようとすると、開口部１２５の後壁１２７が前方の突出部１２２に当接し、および／または、ランセットボディ１０４が保護カバー１０２に対して前方に移動しようとすると、開口部１２５の前壁１２８が前方突出部１２２に当接し、その結果、保護カバーの後端部１２５が突出部１２２を乗り越えて前方に移動できないように構成されている。
【００４３】
尚、穿刺部材を介して対向する２つの突出部１２２の間の距離（即ち、突出部１２２の最外点間の距離）は、開口部１２５における保護カバーの内径より若干大きく、その結果、突出部１２２が開口部１２５内に一旦嵌まり込むと、突出部は開口部内に若干突出した状態となるように構成することによって、上述のように乗り越えを防止できる。後述するように、穿刺に際しては、突出部１２２は、開口部付近の内径より十分に大きい内径を有する、保護カバーに規定された空間内を前方に移動するので、そのように若干大きい突出部間の距離は、穿刺に対する妨げにはならない。尚、図示した態様では、突出部１２２を穿刺部材の周囲で４つを等角度で（即ち、９０°間隔で）設け、開口部１２５もそれに対応するように等間隔で４つ設けている。
【００４４】
より具体的には、保護カバー１０２がランセットボディ１０４に対して前方に移動して、図５および図６に示す位置関係の状態となり、そのような位置関係が実質的に変化しないように構成されている。即ち、保護カバー１０２の後端部に設けた開口部１２５内にランセットボディの前方の突出部１２２が嵌まり込み、そのように嵌まり込んだ状態では、突出部１２２がランセットボディ１０４に対して開口部１２５内で移動できるが、それ以上の移動は実質的に阻止される構造になっている。
【００４５】
図示した態様では、後方の突出部１２０は、ランセットボディ１０４の前方部分１１４の側面上で穿刺部材を介して対向するように（即ち、穿刺部材に関して対称に）、例えば２つが、配置されており、前方の突出部１２２については上述のように例えば９０°毎に４つ配置されている。別の態様では、後方の突出部を４つ設けてもよい。更に別の態様では、前方の突出部を２つ設けてもよい。上述のような保護カバーの後端部による突出部１２０および１２２の乗り越え、開口部への突出部の嵌まり込み等は、プラスチック材料の弾性的変形を利用すると好都合に実施できる。
【００４６】
換言すれば、保護カバー１０２が前方に移動して露出した穿刺部材の先端部１２４を完全に覆って、その後、その最先端１２６が保護カバー１０２の前端面から更に後方に位置する図５および図６に示す状態になった時、突出部１２２は、保護カバー１０２の後方側面に設けた開口部１２５に嵌り込み、その結果、図５および図６に示す状態において、保護カバー１０２をランセットボディ１０４に対して後退させようとする力が作用した場合であっても、そのような嵌り込みによって後退が阻止されるように設計されている。
【００４７】
即ち、保護カバー１０２の開口部１２５とランセットボディ１０４の突出部１２２は協働して保護カバー１０２の後退を防止する。保護カバーの開口部の前壁１２８は、突出部１２２を乗り越えて前方に進むことができる必要があるので、突出部１２２は、図示するように前方に向かって若干広がるテーパー部を少なくとも部分的に有する面１３０を有するのが好ましく、また、一旦乗り越えた保護カバー１０２の戻りを防止するために保護カバー１０２の側面に対して急峻な面、好ましくは実質的に垂直な面１３２を有する。このような突出部１２２は、戻り防止突起として機能する。
【００４８】
特に好ましい態様では、この突出部１２２は、図３（または図２８）に示すように、ランセットボディの前方部分１１４のいずれかの適当な箇所にて外向きに突出する形態であるのが好ましい。特に、折れ曲がり部分は、図示するように、最外部をウイング状部にしてその下方を細くすると、細いことによって、嵌まり込みが容易になるが、ウイング状部によって、嵌まり込んだ状態を解除するのがより困難になる点で好ましい。例えば、図示するように、穿刺部材に垂直な方向の断面が「―」部分および「Ｉ」部分によって構成されるＴ字形状となるように突出部を形成して、「Ｉ」部分が外向きに突出し、その先端部に「―」部分がウイング状として形成されているように突出部１２２を構成してよく、ウイング状部は上述のように前向きに広がるテーパー状面１３０を有するのが特に好ましい。
【００４９】
図７に、本発明の穿刺デバイスに使用できるインジェクターアッセンブリ２００の外観を斜視図にて模式的に示し、図９は、図７に示したインジェクターアッセンブリの手前半分を切除して内部の様子が分かるようにした斜視図を、図１の状態のランセットアッセンブリ（但し、保護カバーの手前側半分を切除した状態）と共に模式的に示す。この状態は、ランセットアッセンブリの装填を待っている状態、即ち、待機状態であり、図９に示す矢印ａの方向にランセットアッセンブリ１００をインジェクターアッセンブリ２００に対して移動してその前端の開口部２１４から挿入することによってランセットアセンブリを装填する。
【００５０】
本発明のインジェクターアッセンブリ２００は、インジェクターボディ２０２ならびにその中に配置されたプランジャー２０４（図１２）およびプッシャー２０６（図１３）を有して成る。このインジェクターアッセンブリは、上述の保護カバーを有するランセットアッセンブリ１００を装填して、穿刺部材の先端部が露出したランセットボディを発射できる。インジェクターボディ２０２は、１対のボディハーフ２１０および２１０’から構成される（図８参照）。インジェクターアッセンブリ２００は、穿刺に際して、ランセットアッセンブリを挿入する開口部２１４をその前端に有する。より詳しくは、開口部２１４は、インジェクターボディ２０２の前端部に嵌め込まれた保持部材２１５によって規定される。
【００５１】
保持部材２１５を図１０に斜視図にて模式的に示す。保持部材２１５は、開口部２１４を有する全体としては筒状の部材である。筒の内側には、開口部の後方に突出部２１９を、好ましくは穏やかな隆起部を有する。好ましい態様では、この突出部２１９は上下または左右に１対、あるいは上下および左右に２対形成する。別の態様では、３箇所以上に突出部を形成してよい。突出部２１９は、ランセットアッセンブリをインジェクターアッセンブリに装填するために、開口部２１４を介して挿入すると、保護カバーが突出部によって緊密に保持されるように構成されている。
【００５２】
このような緊密な保持は、保護カバーと突出部とが丁度接触するか、あるいはそれに近い状態となり、かつ、その状態で保護カバーが前後に移動できるような寸法を有するように、これらを形成することによって実施できる。例えば、これらをプラスチック材料で形成する場合、複数の突出部の間に保護カバーが弱いプレスフィット（または圧入）によって移動可能に嵌り込む（従って、突出部が保護カバーを挟むまたは掴む）ように構成されている。
【００５３】
このように保持部材をインジェクターボディに配置することによって、ランセットアッセンブリをインジェクターボディに装填するに際して、保護カバーは、その前端の開口部がインジェクターアッセンブリの前端より前方に位置するように、インジェクターアッセンブリと、より詳しくは保持部材と協働して、所定のように保持される
【００５４】
保持部材には、上述の突出部２１９に加えて、別の突出部２９０が好ましくは複数設けられている。この突出部は、ランセットアッセンブリをインジェクターアッセンブリに装填するために、開口部２１４を介して後方に挿入するに際して、保護カバーが挿入方向の回りで回転することを防止するように構成されている。即ち、突出部２９０は、ランセットアッセンブリが回転しないように挿入するためのガイドを提供する。そのような回転防止は、保護カバーの外側形状および突出部２９０の挿入方向に対して垂直な形状が相補的な関係なるように、これらを形成することによって実施できる。例えば、保護カバーの外側に凹部を形成し、保持部材の内側にその凹部に嵌り込む凸部（例えば突出部２９０）を形成すればよい。
【００５５】
好ましい態様では、突出部２９０は、保護カバーを介して対向するように配置されている。ランセットアッセンブリを開口部２１４に挿入すると、保護カバーの例えば上側および下側ならびに／または左側および右側に突出部２９０が位置するようにこれらが配置されている。別の態様では、突出部２９０が保護カバーの周囲で１２０°毎に位置するように配置されている。図示した態様では、開口部の周囲で９０°毎に４箇所設けられている。更に別の態様では、１８０°毎に２箇所に設けてもよい。尚、突出部は、全て同じ形態である必要は必ずしも無く（例えば、１つが周状であり、他の１つまたはそれ以上が点状であってもよい）、また、ランセットアッセンブリの挿入方向に沿って細長い突出部が延在していてもよい。
【００５６】
保持部材２１５は、その後方部分において、突出部押し込み手段２２１を有する。この手段は、ランセットアッセンブリを挿入するに際して、この手段は、ランセットボディ１０４の後方の突出部１２０をその手段が内側に押し込むことができればいずれの形態であってもよい。例えば、保持部材の後端の開口部の寸法を、開口部を形成する壁が、ランセットボディ１０４の上側および下側に接触するか、若干の間隙を隔てて位置するような寸法を有するようにする。そのようにすると、ランセットボディは開口部を形成する壁に接触またはそれに近い状態で挿入され、そして、開口部に突出部１２０が達すると、開口部を規定する壁が突出部１２０に接触し、その後、挿入を継続すると、壁によって突出部１２０に内向きの力が作用するため、突出部１２０は内側に押し込まれた状態となる。その状態において、保護カバーをインジェクターアッセンブリに固定した状態でランセットボディ１０４に前向きの力が作用すると、突出部１２０は、保護カバーの後端部１５０よりも前方に移動できるようになっている。図示するように、突出部１２０がテーパー面を有すると、上述のような移動、即ち、ランセットアッセンブリの挿入に伴う突出部の押し込みが容易になる。
【００５７】
尚、本発明のインジェクターアッセンブリは、穿刺深さを変えることができるのが好ましく、その機構自体は、例えばＷＯ１９９７／００４７０７号公報（日本国特許第３６３８９５８号、米国特許第５，７３０，７５３号に対応）から公知であり、この特許文献に開示の内容は、この引用によって本明細書に組み込まれる。例えば、ランセットを発射した時に、穿刺部材の先端部が突出しているランセットボディ１０４を前方に発射するプランジャーの動きを瞬間的に止めて、その後、ランセットボディ１０４を後退させる、プランジャーの一部（図示した態様では部材２８１に対応）が衝突する要素（インジェクターボディ内に設けられ、ストッパーとして機能する要素、図示した態様では部材２８０に対応）をインジェクターボディ内に設ける。そのような要素は、プランジャーの該一部が衝突する箇所を、穿刺方向に沿って、変えることができ、その結果、プランジャーの該一部が衝突する迄に前方にプランジャーが移動する距離を変えることができ、その結果、穿刺深さを変更できるようになっている。
【００５８】
例えば、図９に示す態様では、穿刺深さ調節部材２８０をインジェクターボディ内に配置して、プランジャーの後端部に設けた衝突部材２８１が、穿刺深さ調節部材２８０に衝突するように構成する。深さ調節部材２８０の具体例を図１１に斜視図にて模式的に示す。深さ調節部材２８０はプランジャーの周囲で回転可能に配置される全体として筒状の形態である（図１１では、手前側半分を切除した状態で示す）。穿刺深さ調節部材２８０は、プランジャーの該一部（または該一部として作用するプランジャーに設けた要素２８１）が衝突するステップ２８２を複数有する。各ステップは、穿刺方向に沿った位置が異なり、衝突部材２８１の先端部２７９がいずれかのステップに衝突するように構成されているので、プランジャーの該一部が衝突するステップを種々変えることによって、プランジャーが移動できる距離が種々異なり、その結果、前方にプランジャーが移動する距離が変わる。
【００５９】
プランジャー２０４は、ランセットボディの後端部１１６を握持し、穿刺部材１０５の先端部１２４が所定箇所を穿刺するように、穿刺部材１０５の先端部１２４が突出したランセットボディ１０４を前方に発射する機能を有する。尚、穿刺後は、穿刺部材１０５の先端部１２４が突出したランセットボディ１０４を後方に引き戻す機能をも有する。
【００６０】
プッシャー２０６は、穿刺後、引き戻されたランセットボディ１０４の周囲に配置された保護カバー１０２を、ランセットボディ１０４に対して前方に押して、ランセットボディ１０４から前向きに突出する穿刺部材１０５の先端部１２４が保護カバーの前方端部から更に後方に位置するように移動させるように機能する。このように保護カバーの前方端部が更に後方に位置することによって、穿刺部材の先端部がその周囲から一層可及的に隔離された状態となる。
【００６１】
本発明のインジェクターボディ２０２において、（例えばスナップフィットによって）相互に組み合わされ、内部に空間部を規定する対のボディハーフ２１０および２１０’の前方端部の周囲に、保持部材２１５が配置されている。このように規定された空間部には、上述のように、プランジャー２０４およびプッシャー２０８が配置されている。
【００６２】
図１２に、プランジャー２０４の斜視図を、また、図１３に、プッシャー２０６の斜視図を模式的に示す。これらは、プランジャーの突起５２４の箇所にてプランジャー本体２０５の両側に形成されている空間２８５および２８５’にプッシャー２０６のロッド状部分２８６および２８６’が嵌め込まれ、これらのロッド状部分がプランジャー本体２０５の両側で延在するように組み合わせた状態でインジェクターアッセンブリ内に配置されている。このように組み合わせた状態を図１４に模式的斜視図にて示す。プランジャーの空間２８５および２８５’内でプッシャーのロッド状部分２８６および２８６’が長手方向に沿ってスライドできるようになっている。
【００６３】
プランジャー２０４は、プランジャーボディ２０５の前方端部から前向きに延びる２本の対向する上方アーム２２８および下方アーム２３０を有して成る。プランジャー２０４の上方アーム２２８および下方アーム２３０は、前方端部に凹部２４１および２３９をそれぞれ有する。これらの凹部の間に、ランセットボディ１０４の後端部１１６に設けた突出部１１８の一部分が嵌り込む。即ち、このようなアーム、特にその凹部２３９および凹部２４１は、チャック要素を構成する。これらの凹部の形状は、突出部１１８の一部分が丁度嵌り込むようになっているのが好ましい、即ち、穿刺部材の長手方向に沿った断面に関して、凹部２３９および２４１と突出部１１８とが相補的であるのが好ましい。プランジャーがプラスチック材料で形成されている場合、これらのアームを広げようとする力が作用すると、これらは弾性的に開くことができる。このようにプランジャーを構成することによって、プランジャーはランセットボディを把持（またはチャック）することができる。
【００６４】
尚、ランセットアッセンブリの装填に際しては、図９にて矢印ａで示すように、ランセットボディ１０４の後端部１１６がインジェクターアッセンブリ２００の開口部２１４から内部に挿入され、その中に配置されたプランジャー２０４に向かって移動してくる。この時、挿入されてくるランセットボディ１１６の後端部は、アーム２２８の前端部２６４とアーム２３０の前端部２６６との間を通過し、ランセットボディ１０４の後端部１１６の一部分（そこに設けた突出部１１１８）は、アームを押し広げた後、凹部２３９と凹部２４１との間に入り込み、その瞬間に、アームが元の形状に戻り、その結果、後端部１１６は、アームに挟まれた状態で、これらの間に形成される空間部に嵌り込む。
【００６５】
容易に理解できるように、プランジャーは、上述のように対向する２つのアームを、好ましくは全体としてＵ字形状のアームを有してよいが、別の態様では、ランセットボディの後端部を適当に把持できる限り、２より多い数のアームを有してよい。従って、プランジャーは少なくとも２つのアームを有して成る。例えば２つのアームを有する場合、プランジャーは、ランセットボディの後端部を、それを隔てて対向する方向（例えば上下方向）から挟むことによって把持することができる。
【００６６】
ランセットボディ１０４の後端部の突出部１１８は、例えばリムまたはフランジの形態であって、ランセットボディ１０４の後端部を構成するか、あるいはランセットボディの側面から突出した形態であってよい。１つの態様では、図３に示すように、突出部１０８は、ランセットボディ１０４の後端に向かって斜めに延在するスロープ面１４０（図示した態様では円錐台の側面に相当）によって規定されている。他方、アーム２２８および２３０の前端部２６４および前端部２６６は、図１２に示すように、ランセットの発射方向に向かって広がる面２６８および２７０を有し、好ましくは、その面は、スロープ面１４０と相補的である。
【００６７】
従って、上述のようにランセットボディ１０４が挿入されて、突出部１１８がアームの前端部２６４および前端部２６６に当接する場合、ランセットの発射方向に向かって広がるスロープ面１４０が、ランセットの発射方向に向かって広がるスロープ面２６８および２７０を押すので、プランジャーのアームの前端部２６４および２６６を上向きおよび下向きに移動させようとする力がそれぞれ作用する。
【００６８】
アーム２２８およびアーム２３０は、その後方端部にてプランジャー２０４の後方部分２２６と一体になっているので、上述のような力が作用すると、アームの前端部２６４および２６６は移動しようとしてアーム２２８およびアーム２３０が弾性的に外向きに若干湾曲する（即ち、外向きに広がる）。その結果、前端部２６４と２６６との間が広がり、ランセットボディ１０４の突出部１１８が、アームの前端部の間を通過して、前端部の直ぐ後に位置する凹部２３９および凹部２４１に嵌り込む。
【００６９】
突出部１１８が凹部２３９および２４１に嵌り込んだ後は、これらの形状が相補的であるので、弾性的に湾曲したアームは元の形状に戻り、その結果、アーム２２８および２３０に作用する力は実質的に存在しなくなり、アーム２２８および２３０によるランセットの把持が完結する。尚、インジェクターアッセンブリ内において、上述のようなアームの一時的な弾性的な湾曲を可能にし、また、把持後は、弾性的な変形を阻止するために、インジェクターボディには、アームの前端部２６４および２６６の上側形状および下側形状に対応する形状を有する凹部またはそのような上側形状および下側形状を収容できる凹部を一部分に有する、プランジャーのアームを誘導するガイドをプランジャーの長手方向に沿って設けている（図９参照、ガイド５０７および５０９の凹部５０６および５０８）。
【００７０】
そして、そのような凹部が存在しない領域では、アームの先端部は上方または下方に移動することができず、他方、そのような凹部が存在する領域では、先端部の上側形状部分２６４および下側形状部分２６６がその凹部に嵌り込む結果、先端部が上または下方向に移動して（即ち、インジェクターアッセンブリの上側または下側の内壁に向かう方向に広がり）弾性的な湾曲が可能となるようになっている。
【００７１】
図示した態様では、インジェクター内に配置した、アーム２２８の前端部２６４の長手方向移動を案内する機能を有するガイド５０７が凹部５０６を有し、また、インジェクター内に配置した、アーム２３０の前端部２６６の長手方向移動を案内する機能を有するスライディングガイド５０９が凹部５０８を有する。このような態様では、ランセットボディの後端部がプランジャーに把持される際には、両方のアームが外向きに湾曲して広がることになるが、別の態様では、一方のアームのみが外向きに広がるように構成してもよい。
【００７２】
容易に理解できるように、上述のランセットボディの嵌まり込みのプロセスと逆のプロセスでランセットボディはプランジャーから解放される。即ち、プランジャーに対して前向きの力をランセットボディに加えると、アームが弾性的に外向きに湾曲して広がることを利用する。この場合も、少なくとも一方のアームが外側に広がることによって解放することができる。図示する態様では、ランセットボディの解放に際しては、下側のアーム２３０のみが実質的に外向きに湾曲するように構成されている。
【００７３】
上述のようなプランジャー２０４に、図１３示すようなプッシャー２０６を組み合わせて用いる。プッシャー２０６は、ロッド状部分２８６および２８６’ならびにその前端部から前向きに延びるアーム２４６およびアーム２４８から構成される前方部分２５０を有して成る。アーム２４６および２４８を有する前方部分２５０は全体としてＵ字形状の形態である。但し、図示した態様では、プッシャーのアームの先端部は、分岐した細長い長尺部分２４５を形成するように枝分かれしている。
【００７４】
尚、プッシャー２０６の前方部分２５０に隣接するロッド状部分２８６および２８６’は、その前方端部から後方に向かって、断面が比較的長い距離にわたって矩形で一定形状であり（部分２５２）、その後でロッド状部分が一体に接続され（部分２５４）、後端部には突出部を有する（部分２５６）。断面が矩形で一定形状である部分（部分２５２）は、プランジャーの側方に規定される空間２８５および２８５’内を前後に移動、好ましくは摺動できるようになっている。この移動は、後ろ向きについては、プッシャーに形成した突出部２４７（前方部分２５０の後部端面に相当）がプランジャーに形成したフランジ部２４９に当接することによって妨げられる。
【００７５】
上述のようにプランジャーとプッシャーを組み合わせた状態でインジェクターボディ内に配置すると、プランジャーの前後への移動と、プッシャーの前後への移動とを独立して実施できる。即ち、プッシャーの後端部２５６に前向きの力を加えると、プランジャー２０４に力を作用することなく、プッシャー２０６を前方に移動させることが可能となる。また、プランジャー２０４に前向きまたは後ろ向きの力を加えると、突出部２４７とフランジ部２４９とが当接しない範囲で、プッシャー２０６に力を作用することなく、プッシャー２０６を前方または後方に移動させることが可能となる。
【００７６】
本発明の穿刺デバイスは、上述の本発明のランセットアッセンブリを上述の本発明のインジェクターアッセンブリに装填することによって構成される。従って、装填前の状態にある、上述の本発明のランセットアッセンブリおよび上述の本発明のインジェクターアッセンブリ、即ち、これらが別々に存在して、組み合わされていない状態にある、本発明のランセットアッセンブリおよび上述の本発明のインジェクターアッセンブリは、穿刺デバイスのキットを構成する。
【００７７】
図９および図１５〜図２９を参照して、上述のランセットアッセンブリおよびインジェクターアッセンブリを用いて本発明の穿刺デバイスを構成して、所定箇所を穿刺し、その後、使用済みのランセットをインジェクターアッセンブリから取り出す様子を順に説明する。
【００７８】
最初に、図９に示す待機状態にあるインジェクターアッセンブリ２００に、ランセットアッセンブリ１００を装填する。具体的には、図９の矢印ａで示すように、インジェクターアッセンブリ２００の前端面の開口部２１４からランセットアッセンブリ１００のランセットボディ１０４の後端部１１６を挿入する。尚、保護カバー１０２がインジェクターボディの前端に設けた保持部材２１５の開口部２１４の後方に設けた突出部２１９に接触しながら、あるいはそれに近い状態で後ろ向きに通過できる。この際、保護カバーに設けた凹部１６０に保持部材の突出部２９０が嵌り込むので、ランセットアッセンブリ１００は保持部材２１５の内側で回転できないように構成されている。
【００７９】
上述のように挿入を続けると、後端部１１６は、図１５に示すように、プランジャーのアーム２２８の前端部２６４とアーム２３０の前端部２６６との間の空間部に接近し、その後、アームの前端部２６４および２６６に当接する。上述のように前端部２６４および２６６は、ランセットの発射（または射出）方向に向かって広がるスロープ面２６８および２７０を有し、スロープ面の形状は、突出部１１８のスロープ面１４０と相補的であるので、当接後に更にランセットアッセンブリを後方に移動させようとすると、アーム２２８および２３０は外側に向かって広がろうとする。
【００８０】
この場合、インジェクターボディの内壁部をアームの前端部の最外部が内壁部に対して摺動するように設計していると、そのように広がろうとする作用は抑制されて後退のみするが、内壁部に凹部５０６および５０８（図９参照）を設けておくと、前端部が摺動して後退し、その少なくとも一部分、例えばその最外部およびその隣接部分が凹部５０６および５０８に嵌り込んだ時のみ、凹部の深さ分だけアームが外向きに広がろうとする。
【００８１】
この広がりによるアームの前端部の最内部の間の距離を、ランセットボディの後端部１１６に設けた突出部１１８がその間を通過できるようにすることによって、後端部１１６は、更に後方に移動でき、その結果、図１６に示すように、後端部１１６に設けた突出部１１８がアーム前端部の凹部２３９および２４１の間に嵌り込む。尚、凹部２３９と２４１を規定する面を、突出部１１８を規定する面と相補的にすることによって、突出部１１８の凹部２３９と２４１との間への嵌り込みは、緊密なものとなる。そして、図１６に示すように、インジェクターボディの内壁部に設けた凹部５０６および５０８の長さは発射方向に対して短いものであるので、その後、ランセットを後方に押す力が作用しても、アーム２２８および２３０は外側に広がることはなく、後退しようとするだけであり、従って、ランセットアッセンブリ１００は、プランジャーのアーム２２８および２３０によってしっかり把持されている。
【００８２】
その後、ランセットアッセンブリを更に押し込んで、後退させるように力が作用すると、プランジャーは後退することができる。ところで、インジェクターアッセンブリ２００には、ランセットを発射する引き金として作用する、レバー状のトリガー部材５１４が設けられている。図示した態様では、孔５１６（図８参照）に差し込まれて軸支されるトリガー部材の軸部分５１６’（図２３参照）を支点として移動（軸回転）可能であり、後方の端部分５４２とその上方のインジェクターボディの内壁部５１８との間には圧縮バネ５２０が設けられている。また、トリガー部材の前端部付近にてトリガーとインジェクター内部との間に圧縮バネ５２１が配置されている。トリガー部材は、支点５１６の回りでシーソー状に移動可能であり、前方端部分５４３にはバネ５２０およびバネ５２１によって上向きの力が作用しているが、インジェクターボディの内壁部５１５によってトリガー部材の前方端部分の上向きの動きは制限されている。
【００８３】
上述のように、プランジャーが更に後退すると、それに一体に設けた突起５２４も一緒に後退する。この突起５２４は、最初はその上部がトリガー部材５１４の後方部分５２７の下側に接触し、その後、バネ５２０および５２１を圧縮することによって、作用する下向きの力に抗する状態で、後方部分５２７に上向きの力を作用させながら（従って、バネ５２０を圧縮しながら）、図１６に示すように更に後退する。そして、突起５２４が、トリガー部材５１４の後端部に設けた突起５２６を通過するときにバネ５２０は一旦大きく圧縮され、その直後、トリガー部材５１４は元の状態（図１５の状態）に戻り、突起５２４はトリガー部材の５１４の突起５２６の後方に位置する。このように、突起５２４が突起５２６を通過して、トリガー部材５１４が丁度元の状態に戻った様子を図１７に示す。
【００８４】
このようにトリガー部材が元の状態に戻る時、あるいはその前に、好ましくは直前に、ランセットボディの１０４に設けた後方の突出部１２０が、インジェクターボディ内に設けた突出部押し込み手段２２１によって内側に押し込まれた状態となる。例えば、図示するように保持部材の後端部が突出部押し込み手段２２１を構成してよい。通常、ランセットアッセンブリの挿入に際しては、上述のようにプランジャーを後退させるのに十分な力を加えて、ランセットアッセンブリを後方に押すので、プランジャーの突起５２４は、図１７に示すように、トリガー部材の突起５２６の後方に位置する。図１７においては、突出部１２０が内側に押し込まれている状態も示している。
【００８５】
上述のようにトリガー部材が元の状態に戻ってトリガー部材５１４が元の状態に戻ると、トリガー部材に設けた突起５２６が突起５２４の前方に位置するので、突起５２４の前方への移動が阻止される。また、このようにトリガー部材５１４が元の状態に戻った時に、保護カバーがインジェクターボディ内により確実に保持されるように、インジェクターボディ内に保護カバー固定手段が設けられている。この固定手段は、トリガー部材が元の状態に戻る時に、保護カバー１０２をランセット１０１に対して固定できるものであればよい。
【００８６】
図示した態様では、保護カバーの開口部１３３(図４参照)上に跨って位置することによって、一部分が開口部の内部に嵌り込む円柱状部材２３３が固定手段として機能する。図示した態様では、保護カバーの対向する対の開口部１３３の一方（上側開口部）に嵌り込む円柱状部材２３３が存在する。円柱状部材を固定手段として用いると、指先でランセットアッセンブリの一部（例えばタブ要素１１０）をつまんで挿入するに際して加える力であっても、保護カバーの後端１５０が円柱状部材を容易に乗り越えて、円柱状部材の一部分が開口部１３３内に嵌り込むことができるので好都合である。図１７に示すように、保護カバー１０２を固定手段２３３によってインジェクターボディに固定した状態で、ランセットボディ１０４に前向きの力が作用すると、押し込まれた突出部１２０は、保護カバーの後端部１５０よりも前方に移動できるようになっている。
【００８７】
尚、インジェクターボディ２０２の内部では、プランジャーの周囲にて突起５２４とインジェクターボディに設けた止め５３０との間に、バネＳ１がインジェクションスプリングとして配置されている。このバネＳ１は圧縮可能である。上述のように、ランセットアッセンブリを挿入するに際しては、バネＳ１が図９に示す状態から図１７に示す状態まで圧縮される。図９の状態に比べて図１７状態では、バネＳ１の長さ（即ち、突起５２４と止め５３０との距離）が短くなっている。後述のように、トリガー部材５１４の突起５２６が、突起５２４の前方への移動、従って、プランジャー２０４の前方への移動を阻止する場合、バネＳ１は圧縮状態で保持されている。
【００８８】
図１７に示した状態において、ランセットアッセンブリを挿入しようとして加える力を除去すると、上述のようにバネＳ１は圧縮状態で保持されているので、プランジャーは若干前方に移動し、プランジャーの突起５２４がトリガー部材５１４の突起５２６に当接する状態となる。この時、保護カバーは上述のようにインジェクターボディに対して固定されているので、ランセット１０１は若干前方に移動し、その結果、保護カバーの前端部１２１とランセットの当接要素１１２との間に若干の隙間１３９が形成される。この状態を図１８に示す。この状態が、ランセットアッセンブリ１００のインクターアッセンブリ２００への装填（即ち、チャージ）が完了した状態である。明らかなように、穿刺に際して、ランセットアッセンブリのインジェクターアッセンブリへの装填が完了した場合では、保護カバーの前端１２１（従って、その開口部）は、インジェクターアッセンブリの前端、詳しくは、そこに位置する保持部材２１５の前方に位置する。
【００８９】
この状態からトリガー部材５１４の突起５２６が上方に移動すると、即ち、トリガー部材の前方端部分５４３を下方に押し込んでバネ５２０およびバネ５２１を圧縮すると、トリガー部材５１４の突起５２６は上方に移動し、その結果、突起５２４の前方への移動を阻止できないことになる。それにより、上述のように圧縮状態で保持されているバネＳ１は一気に伸長し、それによって、突起５２４は、従って、プランジャーは、従って、プランジャーに把持されたランセットボディは前方に移動する。後述のように穿刺部材の先端部を露出させた状態で、上述のようなトリガー部材５１４の操作を実施して圧縮状態のバネＳ１を拘束しているものを無くすので、バネＳ１は瞬間的に伸び、ランセット、詳しくはランセットボディが発射され、保護カバーの開口部１２３に押し当てた所定の箇所を穿刺できる。
【００９０】
また、バネＳ１の後方において、プランジャーの後端部の周囲にて、止め５３０とプランジャーの後端部の後方に設けた仕切部材５３４との間にバネＳ２がリターンスプリングとして配置されている。また、プッシュボタン２１３と仕切部材５３４との間にバネＳ３がプッシュバックスプリングとして配置されている。尚、仕切部材５３４は、インジェクターボディ内に固定され、プランジャーの後端部にはバネ保持部材としても機能する衝突部材２８１が嵌め込まれ、それと穿刺深さ調節部材２８０の前端部との間でプランジャーの周囲でバネＳ２が保持されている。よって、衝突部材２８１が衝突する穿刺深さ調節部材２８０のステップ２８２の位置に応じてバネＳ２は圧縮される程度が変化する。
【００９１】
バネＳ２は、ランセットが発射されると、プランジャー２０４の後端部が前に移動するので瞬間的に圧縮されるが、その後、直ちに元の長さに向かって伸びる。従って、バネＳ２は、発射されたランセットを後方に引き戻すように作用する。バネＳ３は、後述するように、使用済みのランセットボディから突出している穿刺部材の先端部の周囲で保護カバーを更に前方に移動させるに際して、プッシャーを前方に移動させるために力を加えて前方に移動させたプッシュボタン２１３を後方に戻す機能を有する。即ち、プッシュバックスプリングとして機能する。
【００９２】
上述のように、図１８のようにランセットアッセンブリ１００のチャージが完了した状態では、（インジェクターボディ２０２を基準として）プランジャー２０４は図９に示す待機状態から後方に移動しているので、プランジャーの後端部が後方に移動し、従って、バネＳ２は相対的に伸びた状態であり、図示した態様では、実質的に延びきった状態である。
【００９３】
チャージが完了すると、次に、ランセットキャップを除去する。これは、図１８に示すように、プランジャーに把持されたランセットを有するインジェクターアッセンブリに対して、ランセットキャップを穿刺部材の回りで回転する、即ち、図１８にて矢印で示すようにランセットキャップ１０６をツイストすることによって、ランセットの弱化部分１０８を破壊し、その後、ランセットキャップ１０６を前方に引くことによって実施する。即ち、ランセットキャップをツイストオフする。
【００９４】
ランセットキャップを取り出している途中の状態を図１９に示す。尚、上述のように、ランセットキャップをツイストするに際して、ランセットボディが一緒に回転するのを防止するために、保護カバー１０２は、ランセットボディが、例えばその突出部１２２が保護カバー内において穿刺部材の周囲で回転できないような内部空間を形成している。具体的には、保護カバーは、突出部１２２（図６参照）が実質的に前後方向のみに移動できる、穿刺部材１０５の延在方向に平行な溝状空間部１４１を有する。
【００９５】
次に、保護カバーの開口部１２３に穿刺すべき所定の箇所、例えば指先をあてがう。その状態で、インジェクターボディの側面上方部に、プレスボタンとして露出しているトリガー部材５１４の前方端部分５４３の一部分を、図２０に示すように、矢印で示すように下向きに押し込むと、トリガー部材５１４の突起５２６が上向きに移動し、その結果、突起５２６とプランジャーの突起５２４との当接関係が解除され、圧縮されていたバネＳ１が一気に伸びる。それによって、穿刺部材１０５の先端部１２４が露出したランセットボディ１０４が一瞬のうちに前方に移動して、保護カバーの開口部１２３から突出して所定箇所を穿刺した後、逆向きに移動し、即ち、後退して、プランジャーは待機状態と同じ位置に戻る。
【００９６】
図２１は、そのように穿刺部材の先端部１２４が最も前方に移動した状態（即ち、穿刺している状態）を示し、図２２は、その後、プランジャーが戻りきってその突起５２４がトリガー部材５１７の突起５２６の手前に位置する状態を示す。この後、使用済みのランセットボディ１０４を廃棄するためにインジェクターアッセンブリから外すプロセスに移る。
【００９７】
図２２の状態から、矢印で示すように、プッシュボタン２１３に前向きの力を加える。プッシュボタン２１３はプッシャー２０６の後端部を押すことができるように構成されて接続されているので、そのような力がプッシャー２０６を前方に移動させる。
【００９８】
このようにプッシャー２０６を移動させると、その前方部分２５０の両アーム２４６および２４８の前端部としての長尺部分２４５は、保護カバー１０２の後端部１５０（図４参照）に当接する。別の態様では、保護カバーの後方部分に位置する突出部、例えば突出部１５７に当接してもよい。この状態からプッシャー２０６を更に前方に移動させると、保護カバーに前向きの力が作用するので、保護カバーが若干前方に移動し、その結果、保護カバーの開口部１３３に嵌まり込んでいた固定手段２３３が開口部１３３から抜け出て、図２３に示すように、固定手段２３３は、保護カバーの後端部の直ぐ後方に位置する。
【００９９】
尚、図９、図１５〜図２２、図２５、図２７および図２９においては、インジェクターボディ、保護カバー、保持部材、プランジャーおよびプッシャーの組み合わせ、ならびにプッシュボタンについては手前側半分を切除した状態で示しているが、図２３、図２４、図２６においては、インジェクターボディの手前側半分を、また、保持部材の手前半分の上側半分を切除した状態で示している。また、図２８は、図１９におけるインジェクターアッセンブリの前方部分をその内部の様子を明らかにするために斜視図にて示す。
【０１００】
図２３の状態から、プッシュボタン２１３を更に前方に押してプッシャー２０６を更に前方に移動させると、保護カバーが、更に、そして、若干、前方に移動するが、保護カバーの後端部１５０がランセットボディの後方の突出部１２０に当接するので、それを乗り越えるには保護カバーを前方に押す更なる力が必要となる。即ち、突出部１２０が抵抗となる。この時、使用済みのランセットボディ１０４はプランジャーに把持されたままであるので、乗り越えるのに十分な力が作用するまでは、ランセットボディが、従って、それを把持するプランジャーが前進し、その結果、穿刺深さ調節部材２８０と衝突部材２８１とが当接状態になる（後述の図２９参照）。
【０１０１】
その後、プランジャーの前方への移動が阻止されるため、保護カバーに加えられる力は、それが前方に移動するように作用する。十分な力が保護カバーに作用する場合には、固定手段２３３が開口部１３３から抜け出ると共に、保護カバーの後端部１５０は、ランセットボディの後方の突出部１２０を乗り越える。その後、保護カバーに前向きの力が作用していると、保護カバーの開口部の前壁１２８がランセットボディの前方の突出部１２２を乗り越え、その結果、図２４に示すように、突出部１２２が保護カバーの開口部１２５に嵌まり込む。
【０１０２】
詳細には、ランセットボディと保護カバーとの関係は、図５および図６に示す状態となっている。即ち、プランジャー２０４の前方の移動が防止されると、ランセットボディ１０４の前方への移動が防止され、そのような状態で、プッシュボタン２１３を更に前方に押すと、保護カバー１０２の後端部１５０に前向きの力が作用する。そのような力によって、保護カバー１０２のみが前方に十分に移動して、突出している穿刺部材の先端部の周囲部分に沿って更に前方に移動し、そして、図５および図６に示すように、穿刺部材の最先端部１２６が保護カバー１０２の前端面から十分に後方に位置するようになる。従って、保護カバー１０２は、この状態からランセットボディ１０４に対して前へも後へも実質的に移動できないようになっている。
【０１０３】
上述のように、プッシャーによって保護カバーの後端部に力が作用して、ランセットボディの前方の突出部１２２が保護カバーの開口部１２５に嵌まり込む状態（図２４に示す状態）となるまでは、プランジャーの下側のアーム２３０の前端部２６６の下方には、スライディングガイド５０９の凹部５０８を規定する前方の突出部５１１が位置するように構成する。例えば、図示する態様では、突出部１２２が嵌まり込む状態となる迄は、プランジャーが殆ど前方に移動しないので、プッシャーを前方に移動する場合、プランジャーの前端部２６６の下方にスライディングガイドの突出部５１１が実質的に常に位置するようにしてプランジャーの下側アームの湾曲（即ち、外側への広がり）を防止し、他方、嵌まり込んだ後には、突出部５１１が存在しないように、スライディングガイド５０９とプッシャーの下方に突出するフランジ部（または突出部）２４７とを連動させる。
【０１０４】
例えば、図２７に示すように、突出部１２２が開口部１２５に嵌まり込んだ直後に、フランジ部（または突出部）２４７がスライディングガイドの凹部５０８を規定する後方の突出部５１３の後方に当接するようにする。この場合、プッシャーを更に前方に移動させると、フランジ部２４７が突出部５１３に当接し、その後、スライディングガイド５０９を前方に移動させるので、前端部２６６の下方に位置していた前方の突出部５１１は前方に移動して存在せず、前端部２６６の下方には凹部５０８が存在することになる。
【０１０５】
この状態を、図２９に模式的に示す。容易に理解できるように、前端部２６６の下方には、スライディングガイド５０９の突出部５１１が位置する。その結果、前端部２６６は、外向きに移動できない。従って、図２３の状態から、プッシャーを前方に更に押すと、プッシャーの前方部分、詳しく長尺部分２４５が保護カバーの後端部を前方に押す。他方、穿刺深さ調節部材２８０と衝突部材２８１とが当接状態にあるので、プランジャー、従って、ランセットボディは前方に移動できず、その結果、ランセットボディと保護カバーを引き離そうとする力がこれらに作用する。この時、プランジャーの先端部２６６の下方に突出部５１１が存在するため、プランジャーの下側アーム２３０は外向きに広がることができないので、ランセットボディの後端部は、プランジャーに把持された状態のままで移動しない。その結果、ランセットカバーのみが前方に移動して図２４の状態となる。
【０１０６】
その後、プッシュボタン２１３を更に前方に押すと、図２５に示すように、プランジャーの下側アーム２３０は外向きに湾曲して広がることができ、それにより、プランジャーは把持していたランセットボディの後端部を解放する。図示した態様では、下側のアームのみが湾曲することによってランセットボディの把持状態からの解放が可能となる。勿論、上側アーム２２８の上方にもガイド５０７との間に小さい空間部が実際には存在するので、上側のアームも若干湾曲できる。
【０１０７】
図２５は、ランセットボディの後端部１１６がアームの凹部２３９および２４１から解放された状態を示す。その後、保護カバーを引き出すことによって、保護カバーが周囲に配置されたランセットボディをインジェクターアッセンブリから取り出し、所定のように適切に処分できる。尚、プッシュボタン２１３に加える力が大きく、プッシャーが更に前方に移動可能な場合には、開放されたランセットボディおよび保護カバーは、図２６に示すように、インジェクターボディの前端開口部から自動的に飛び出す。尚、スライディングガイド５０９の後端部とインジェクター内部の所定の箇所との間にバネＳ４がリターンスプリングとして配置され、上述のようにプッシャーによって前方に移動した状態から、プッシャーに加える力を解放してバネＳ３によってプッシャーを元の状態に戻すと、それに伴ってスライディングガイドもバネＳ４によって元の状態に戻る。
【０１０８】
容易に理解できるように、プッシャーは、上述のように対向する２つのアームを、好ましくは（図示するように）全体としてＵ字形状のアームを有してよいが、別の態様では、保護キャップの後端部を適当に押すことができる限り、２より多い数のアームを有してよい。従って、プッシャーは少なくとも２つのアームを有して成る。
【０１０９】
飛び出した、あるいは上述のように解放されたランセットでは、保護カバーが穿刺部材の周囲に配置され、また、穿刺部材の最先端部が保護カバー１０２の前端面から十分奥に位置するので、使用済みのランセットを取り扱う場合であっても、穿刺後の穿刺部材の先端部に接触する可能性が大きく減る。
【０１１０】
このように、穿刺後にランセットをインジェクターアッセンブリから取り外す操作は、本発明のランセットアッセンブリおよびインジェクターアッセンブリを用いる穿刺デバイスを用いる場合、上述のように、ランセットボディを直接取り扱うことなく、単に、プッシュボタン２１３を前方に押し込むことによって、保護カバーを突出している穿刺部材の先端部に配置することによって容易に実施できる。
利点もある。
【産業上の利用可能性】
【０１１１】
上述の記載から明らかなように、本発明のランセットアッセンブリおよびインジェクターアッセンブリは、より安全に採血できる穿刺デバイスを提供する。
【符号の説明】
【０１１２】
１００…ランセットアッセンブリ、１０１…ランセット、１０２…保護カバー、
１０４…ランセットボディ、１０５…穿刺部材、１０６…ランセットキャップ、
１０８…弱化部分、１１０…タブ要素、１１２…当接要素、１１４…前方部分、
１１５…シート状部、１１６…後端部、１１８…突出部、１１９…空間部、
１２０…突出部、１２１…前端部、１２２…突出部、
１２３…保護カバーの前端開口部、１２４…穿刺部材先端部、１２５…開口部、
１２６…穿刺部材最先端、１２７…開口部後壁、１２８…開口部前壁、
１３０…テーパー面、１３１…突出部、１３２…急峻面、１３３…開口部、
１３９…隙間、１４０…スロープ面、１４１…溝状空間部、１５０…後端部、
１５７…突出部、１６０…凹部、２００…インジェクターアッセンブリ、
２０２…インジェクターボディ、２０４…プランジャー、
２０５…プランジャー本体、２０６…プッシャー、
２１０，２１０’…ボディハーフ、２１３…プッシュボタン、
２１４…開口部、２１５…保持部材、２１９…突出部、
２２１…突出部押し込み手段、２２６…後方部分、２２８…上方アーム、
２３０…下方アーム、２３２…カンチレバー、
２３３…保護カバー固定手段、２３４…バネ、２３５…張り出し部、
２３７…ステップ、２３９…前方端部凹部、２４１…前方端部凹部、
２４３…支点、２４５…長尺部分、２４６…アーム、２４７…フランジ部、
２４８…アーム、２４９…フランジ部、２５０…前方部分、
２５２，２５４，２５６…プッシャーの一部、２６４，２６６…アームの前端部、
２６８，２７０…面、２８０…深さ調節部材、２８１…衝突部材、
２８２…ステップ、２８５．２８５’…空間、２８６、２８６’…ロッド状部分、
２９０…突出部、５０６…凹部、５０７…ガイド、５０８…凹部、
５０９…スライディングガイド、５１１，５１３…突出部、５１４…トリガー部材、
５１５…インジェクターボディの内壁部、５１６…支点、５１８…内壁部、
５２０，５２１…バネ、５２４，５２６…突起、５２７…後方部分、５３０…止め、
５３４…仕切部材、５４２…端部分、５４３…前方端部分、
Ｓ１…インジェクションスプリング、Ｓ２…リターンスプリング、
Ｓ３…プッシュバックスプリング、Ｓ４…リターンスプリング。
【図１】
2012046851.tif 000003
【図２】
2012046851.tif 000004
【図３】
2012046851.tif 000005
【図４】
2012046851.tif 000006
【図５】
2012046851.tif 000007
【図６】
2012046851.tif 000008
【図７】
2012046851.tif 000009
【図８】
2012046851.tif 000010
【図９】
2012046851.tif 000011
【図１０】
2012046851.tif 000012
【図１１】
2012046851.tif 000013
【図１２】
2012046851.tif 000014
【図１３】
2012046851.tif 000015
【図１４】
2012046851.tif 000016
【図１５】
2012046851.tif 000017
【図１６】
2012046851.tif 000018
【図１７】
2012046851.tif 000019
【図１８】
2012046851.tif 000020
【図１９】
2012046851.tif 000021
【図２０】
2012046851.tif 000022
【図２１】
2012046851.tif 000023
【図２２】
2012046851.tif 000024
【図２３】
2012046851.tif 000025
【図２４】
2012046851.tif 000026
【図２５】
2012046851.tif 000027
【図２６】
2012046851.tif 000028
【図２７】
2012046851.tif 000029
【図２８】
2012046851.tif 000030
【図２９】
2012046851.tif 000031
【国際調査報告】
2012046851.tif 000032
2012046851.tif 000033
2012046851.tif 000034
2012046851.tif 000035